(57)【要約】【課題】ＡＳが複数ある場合において、ＩＰ網内のデータベースに記憶されている情報を簡便で容易に取得する通信網情報収集提供方法を提供する。【解決手段】通信網情報収集提供方法は、通信ネットワーク５０１と、通信ネットワーク５０１の通信網情報を利用するＡＳ（アプリケーションサーバ）６１−１〜６１−ｎと、通信ネットワーク５０１及びＡＳ６１−１〜６１−ｎに接続される通信網情報収集提供装置１とを備え、ＡＳ６１−１〜６１−ｎと通信網情報収集提供装置１とが所定のインタフェースにより通信を行う通信システムにおける通信網情報収集提供方法であり、通信網情報収集提供装置１が、利用要求信号を通信ネットワーク５０１に送信し、通信網情報の送出元が有するインタフェースに従う通信網情報を受信し、この通信網情報を記憶し、記憶した通信網情報を所定のインタフェースに従って変換し、変換した通信網情報をＡＳ６１−１〜６１−ｎに送信する。【選択図】図３
2008118255.tif 000002
【特許請求の範囲】
【請求項１】
通信ネットワークと、前記通信ネットワークに関する構成より得られる通信網情報を利用するＷｅｂサービス提供装置と、前記通信ネットワーク及び前記Ｗｅｂサービス提供装置に接続される通信網情報収集提供装置とを備え、前記Ｗｅｂサービス提供装置と前記通信網情報収集提供装置とが、予め定められる所定のインタフェースにより通信を行う通信システムにおける通信網情報収集提供方法であって、
前記通信網情報収集提供装置は、所定の周期ごと、又は、利用要求開始信号を受信するごとに、第１の利用要求信号を前記通信ネットワークに送信することにより、前記第１の利用要求信号の応答として前記通信網情報の送出元が有するインタフェースに従う前記通信網情報を前記通信ネットワークから受信し、
受信した前記通信網情報を記憶する第１の過程と、
前記Ｗｅｂサービス提供装置から第２の利用要求信号を受信した場合、記憶した前記通信網情報を読み出し、
読み出した前記通信網情報を前記所定のインタフェースに従って変換し、
変換した前記通信網情報を前記Ｗｅｂサービス提供装置に送信する第２の過程と
を有することを特徴とする通信網情報収集提供方法。
【請求項２】
前記第２の過程は、通信網情報収集提供装置が、
前記Ｗｅｂサービス提供装置から前記第２の利用要求信号を受信した場合、前記第２の利用要求信号に対応する前記通信網情報があるか否かを判定し、前記第２の利用要求信号に対応する前記通信網情報がないと判定した場合、
前記第２の利用要求信号に対応する第３の利用要求信号を前記通信ネットワークに送信することにより、前記第３の利用要求信号の応答として前記通信網情報の送出元が有するインタフェースに従う前記第２の利用要求信号に対応する前記通信網情報を前記通信ネットワークから受信し、
受信した前記通信網情報を記憶し、
前記第２の利用要求信号に対応する前記通信網情報を前記所定のインタフェースに従って変換し、
変換した前記通信網情報を前記Ｗｅｂサービス提供装置に送信し、
前記第２の利用要求信号に対応する前記通信網情報があると判定した場合、
前記読み出した前記通信網情報を前記所定のインタフェースに従って変換し、
変換した前記通信網情報を前記Ｗｅｂサービス提供装置に送信する
ことを特徴とする請求項１に記載の通信網情報収集提供方法。
【請求項３】
前記通信網情報の送出元とは、前記通信ネットワーク内に備えられ前記通信網情報を記憶する記憶装置、あるいは前記通信ネットワークに接続され内部に通信網情報を記憶する端末装置
であることを特徴とする請求項１又は２に記載の通信網情報収集提供方法。
【請求項４】
前記第１の利用要求信号と、第２の利用要求信号と、第３の利用要求信号とは、前記通信網情報を記憶する記憶装置への情報読み出し、又は情報書き込み、又は情報書き換え、又は情報削除要求信号である
ことを特徴とする請求項１から３のいずれかに記載の通信網情報収集提供方法。
【請求項５】
前記通信網情報収集提供装置が、
前記Ｗｅｂサービス提供装置から受信する前記第２の利用要求信号に含まれる前記Ｗｅｂサービス提供装置が利用する通信網情報を示す情報に基づき、前記通信網情報のうち、前記Ｗｅｂサービス提供装置が利用する通信網情報を選択し、
選択した通信網情報を前記Ｗｅｂサービス提供装置に送信する
ことを特徴とする請求項１から４のいずれかに記載の通信網情報収集提供方法。
【請求項６】
通信ネットワークと、前記通信ネットワークに関する構成より得られる通信網情報を利用するＷｅｂサービス提供装置とに接続され、前記Ｗｅｂサービス提供装置と予め定められる所定のインタフェースにより通信を行う通信網情報収集提供装置であって、
所定の周期ごと、又は、利用要求開始信号を受信するごとに、第１の利用要求信号を前記通信ネットワークに送信することにより、前記第１の利用要求信号の応答として前記通信網情報の送出元が有するインタフェースに従う前記通信網情報を前記通信ネットワークから受信する通信網情報取得手段と、
前記通信網情報取得手段が受信する前記通信網情報を記憶する記憶手段と、
前記Ｗｅｂサービス提供装置から受信する第２の利用要求信号を受信する受信手段と、  前記受信手段が受信する前記第２の利用要求信号により、前記記憶手段が記憶する前記通信網情報を前記記憶手段から読み出し、読み出した前記通信網情報を前記所定のインタフェースに従って変換する変換手段と、
前記変換手段が変換する前記通信網情報を前記Ｗｅｂサービス提供装置に送信する送信手段と
を有することを特徴とする通信網情報収集提供装置。
【請求項７】
前記Ｗｅｂサービス提供装置から受信する前記第２の利用要求信号に対応する前記通信網情報があるか否かを判定する判定手段をさらに備え、
前記通信網情報取得手段は、
前記判定手段が、前記第２の利用要求信号に対応する前記通信網情報がないと判定する場合、
前記第２の利用要求信号に対応する第３の利用要求信号を前記通信ネットワークに送信することにより、前記第３の利用要求信号の応答として前記通信網情報の送出元が有するインタフェースに従う前記第２の利用要求信号に対応する前記通信網情報を前記通信ネットワークから受信し、
前記変換手段は、
前記判定手段が、前記第２の利用要求信号に対応する前記通信網情報がないと判定する場合、
前記通信網情報取得手段が受信する前記第２の利用要求信号に対応する前記通信網情報を前記所定のインタフェースに従って変換し、
前記判定手段が、前記第２の利用要求信号に対応する前記通信網情報があると判定する場合、
前記記憶手段から前記通信網情報を読み出し、読み出した前記通信網情報を前記所定のインタフェースに従って変換し、
前記送信手段は、前記変換手段が変換する前記通信網情報を前記Ｗｅｂサービス提供装置に送信する
ことを特徴とする請求項６に記載の通信網情報収集提供装置。
【請求項８】
前記通信網情報の送出元とは、前記通信ネットワーク内に備えられ前記通信網情報を記憶する記憶装置、あるいは前記通信ネットワークに接続され内部に通信網情報を記憶する端末装置
であることを特徴とする請求項６又は７に記載の通信網情報収集提供装置。
【請求項９】
前記第１の利用要求信号と、第２の利用要求信号と、第３の利用要求信号とは、前記通信網情報を記憶する記憶装置への情報読み出し、又は情報書き込み、又は情報書き換え、又は情報削除要求信号である
ことを特徴とする請求項６から８のいずれかに記載の通信網情報収集提供装置。
【請求項１０】
前記通信網情報収集提供装置は、
前記Ｗｅｂサービス提供装置から受信する前記第２の利用要求信号に含まれる前記Ｗｅｂサービス提供装置が利用する通信網情報を示す情報に基づき、前記通信網情報のうち、前記Ｗｅｂサービス提供装置が利用する通信網情報を選択する選択手段を
さらに備え、
前記送信手段は、
前記選択手段が選択する通信網情報を前記Ｗｅｂサービス提供装置に送信する
ことを特徴とする請求項６から９のいずれかに記載の通信網情報収集提供装置。
【請求項１１】
請求項１〜５のいずれかに記載の通信網情報収集提供方法をコンピュータに実行させることを特徴とするプログラム。
【発明の詳細な説明】
【技術分野】
【０００１】
本発明は、通信網情報収集提供方法、通信網情報収集提供装置、及び、プログラムに関する。
【背景技術】
【０００２】
従来、非特許文献１に示すように、通信ネットワークの一形態であるＩＰ（インターネット  プロトコル）網上での各種サービスを実現するために、ＩＭＳ（IP Multimedia Subsystem）のようなネットワークアーキテクチャが検討されている。ＩＭＳでは、ＳＩＰ（session Initiation Protocol）サーバであるＣＳＣＦ（Call/Session Control Function）がセッション制御機能を実現し、基本接続以外のアプリケーションによるサービスはアプリケーションサーバ（以下ＡＳ）が提供する。
３ＧＰＰ（3rd Generation Partnership Project）で策定されたＩＭＳのモデルにおいて、ＡＳはＳｈインタフェースを通すことにより、ＨＳＳ（Home Subscriber Server）が保持する情報を利用することができる。ＡＳは、利用目的となる情報が保持されているＨＳＳのデータベース（ＤＢ）へ、個別にインタフェースを定義し、アクセスを行うことによって、ＩＰ網内に接続のデータベースに記憶されている情報を利用する。
【非特許文献１】瀬社家、山本、松岡、「ＮＧＮ実現に向けたＭＳＦグローバルインターオペラビリティ実験」、ＮＴＴ技術ジャーナル、社団法人電気通信協会、２００５年１２月、ＶＯＬ．１７、Ｎｏ．１２、ｐ．５８−６０
【発明の開示】
【発明が解決しようとする課題】
【０００３】
しかしながら、図６の概念図に示すように、従来ＩＭＳのモデルでは、アプリケーションによるサービス別に設けられたＡＳ６１ａ−１及び６１ａ−２ごとに、ＩＰ網内のデータベースに記憶されている情報を取得するためのインタフェース、例えばＳｈインタフェース等を実装する必要がある。すなわち、それぞれのＡＳが、ＩＰ網内のデータベースに応じて情報を取得するインタフェースを個別に設ける必要があり、これには多大な手間と時間とを要するという問題がある。
ここで、通信網内の情報はそれぞれの保守端末等からの取得しか想定しておらず、装置個別に独自プロトコルを用いて実装されている。したがってＩＰ網内から通信網内の情報を取得しようとすると、各装置個別のプロトコルを実装する必要があり、取得しようとする装置（たとえばＷｅｂサーバ）が複数存在する場合は複数のプロトコルスタックを実装する必要があり、これには多大な手間と時間とを要するという問題がある。
また、図６において、アプリケーション部６２ａ−１及び６２ａ−２は、加入者情報ＤＢ５１１、位置情報ＤＢ５１２等を利用するため、それぞれのデータベースに対応する接続インタフェースをそれぞれ備えている。したがって、図６に示す接続状態のように、ＡＳと各データベースとの接続はメッシュ状となる。
【０００４】
本発明は、このような事情を考慮してなされたもので、その目的は、ＡＳが複数ある場合において、ＩＰ網内のデータベースに記憶されている情報を簡便で容易に取得することが課題である。すなわち、アプリケーションサービスごとにＨＳＳやＮＡＳＳ（Network Attachment Subsystem）などとのインタフェースを持たずに、共通的にＷｅｂサービス化することにより様々なアプリケーションサービスが、柔軟にＩＰ網内のデータベースに記憶される情報を利用することが可能となる通信網情報収集提供システム、通信網情報収集提供装置、通信網情報収集提供方法、及び、コンピュータプログラムを提供することにある。
【課題を解決するための手段】
【０００５】
この発明は、上記の課題を解決すべくなされたもので、本発明は、通信ネットワークと、前記通信ネットワークに関する構成（例えば、基本の実施形態におけるノード装置５１、運用保守装置５２、顧客管理装置５３、顧客端末５４）より得られる通信網情報（例えば、第１の実施形態における加入者情報、位置情報、収容回線・ＩＰアドレス情報、ネットワーク帯域情報、トラヒック情報、設備情報、与信情報、課金情報）を利用するＷｅｂサービス提供装置（例えば、基本の実施形態におけるＡＳ６１−１〜６１−ｎ）と、前記通信ネットワーク及び前記Ｗｅｂサービス提供装置に接続される通信網情報収集提供装置とを備え、前記Ｗｅｂサービス提供装置と前記通信網情報収集提供装置とが、予め定められる所定のインタフェース（例えば、第１の実施形態におけるＳＯＡＰ（Simple Object Access Protocol）／ＨＴＴＰ（Hypertext Transfer Protocol））により通信を行う通信システムにおける通信網情報収集提供方法であって、前記通信網情報収集提供装置は、所定の周期ごと、又は、利用要求開始信号を受信するごとに、第１の利用要求信号（例えば、具体的な実施形態における情報収集クエリ）を前記通信ネットワークに送信することにより、前記第１の利用要求信号の応答として前記通信網情報の送出元（例えば、基本の実施形態におけるノード装置５１、運用保守装置５２、顧客管理装置５３、顧客端末５４）が有するインタフェースに従う前記通信網情報を前記通信ネットワークから受信し、受信した前記通信網情報を記憶する第１の過程と、前記Ｗｅｂサービス提供装置から第２の利用要求信号（例えば、具体的な実施形態における加入者情報の読出要求信号）を受信した場合、記憶した前記通信網情報を読み出し、読み出した前記通信網情報を前記所定のインタフェースに従って変換し、変換した前記通信網情報を前記Ｗｅｂサービス提供装置に送信する第２の過程とを有することを特徴とする通信網情報収集提供方法である。
【０００６】
また、本発明において、前記第２の過程は、通信網情報収集提供装置が、前記Ｗｅｂサービス提供装置から前記第２の利用要求信号を受信した場合、前記第２の利用要求信号に対応する前記通信網情報があるか否かを判定し、前記第２の利用要求信号に対応する前記通信網情報がないと判定した場合、前記第２の利用要求信号に対応する第３の利用要求信号（例えば、具体的な実施形態におけるＡＳ要求クエリ）を前記通信ネットワークに送信することにより、前記第３の利用要求信号の応答として前記通信網情報の送出元が有するインタフェースに従う前記第２の利用要求信号に対応する前記通信網情報を前記通信ネットワークから受信し、受信した前記通信網情報を記憶し、前記第２の利用要求信号に対応する前記通信網情報を前記所定のインタフェースに従って変換し、変換した前記通信網情報を前記Ｗｅｂサービス提供装置に送信し、前記第２の利用要求信号に対応する前記通信網情報があると判定した場合、前記読み出した前記通信網情報を前記所定のインタフェースに従って変換し、変換した前記通信網情報を前記Ｗｅｂサービス提供装置に送信することを特徴とする。
【０００７】
また、本発明は、前記通信網情報の送出元が、前記通信ネットワーク内に備えられ前記通信網情報を記憶する記憶装置（例えば、具体的な実施形態における加入者情報ＤＢ５１１、位置情報ＤＢ５１２、収容回線・ＩＰアドレス情報ＤＢ５１３、ネットワーク帯域情報ＤＢ５１４、トラヒック情報ＤＢ５１５、設備情報ＤＢ５２１、与信情報ＤＢ５３１、課金情報ＤＢ５３２）、あるいは前記通信ネットワークに接続され内部に通信網情報を記憶する端末装置（例えば、具体的な実施形態における顧客端末５４）であることを特徴とする。
【０００８】
また、本発明は、第１の利用要求信号と、第２の利用要求信号と、第３の前記利用要求信号とが、前記通信網情報を記憶する記憶装置への情報読み出し、又は情報書き込み、又は情報書き換え、又は情報削除要求信号であることを特徴とする。
【０００９】
また、本発明は、前記通信網情報収集提供装置が、前記Ｗｅｂサービス提供装置から受信する前記第２の利用要求信号に含まれる前記Ｗｅｂサービス提供装置が利用する通信網情報を示す情報に基づき、前記通信網情報のうち、前記Ｗｅｂサービス提供装置が利用する通信網情報を選択し、選択した通信網情報を前記Ｗｅｂサービス提供装置に送信することを特徴とする。
【００１０】
また、本発明は、通信ネットワークと、前記通信ネットワークに関する構成より得られる通信網情報を利用するＷｅｂサービス提供装置とに接続され、前記Ｗｅｂサービス提供装置と予め定められる所定のインタフェースにより通信を行う通信網情報収集提供装置であって、所定の周期ごと、又は、利用要求開始信号を受信するごとに、第１の利用要求信号を前記通信ネットワークに送信することにより、前記第１の利用要求信号の応答として前記通信網情報の送出元が有するインタフェースに従う前記通信網情報を前記通信ネットワークから受信する通信網情報取得手段（例えば、具体的な実施形態における通信網情報取得データベース化部１２１）と、前記通信網情報取得手段が受信する前記通信網情報を記憶する記憶手段（例えば、具体的な実施形態における通信網情報ＤＢ１５）と、前記Ｗｅｂサービス提供装置から受信する第２の利用要求信号を受信する受信手段（例えば、具体的な実施形態におけるＩＭＳ対応部１３）と、前記受信手段によって受信された前記第２の利用要求信号により、前記記憶手段が記憶する前記通信網情報を前記記憶手段から読み出し、読み出した前記通信網情報を前記所定のインタフェースに従って変換する変換手段（例えば、具体的な実施形態におけるＷｅｂ対応部１１）と、前記変換手段が変換する前記通信網情報を前記Ｗｅｂサービス提供装置に送信する送信手段（例えば、具体的な実施形態におけるＷｅｂ対応部１１）とを有することを特徴とする通信網情報収集提供装置である。
【００１１】
また、本発明は、前記Ｗｅｂサービス提供装置から受信する前記第２の利用要求信号に対応する前記通信網情報があるか否かを判定する判定手段（例えば、具体的な実施形態におけるＤＢ制御部１４）をさらに備え、前記通信網情報取得手段は、前記判定手段が、前記第２の利用要求信号に対応する前記通信網情報がないと判定する場合、前記第２の利用要求信号に対応する第３の利用要求信号を前記通信ネットワークに送信することにより、前記第３の利用要求信号の応答として前記通信網情報の送出元が有するインタフェースに従う前記第２の利用要求信号に対応する前記通信網情報を前記通信ネットワークから受信し、前記変換手段は、前記判定手段が、前記第２の利用要求信号に対応する前記通信網情報がないと判定する場合、前記通信網情報取得手段が受信する前記第２の利用要求信号に対応する前記通信網情報を前記所定のインタフェースに従って変換し、前記判定手段が、前記第２の利用要求信号に対応する前記通信網情報があると判定する場合、前記記憶手段から前記通信網情報を読み出し、読み出した前記通信網情報を前記所定のインタフェースに従って変換し、前記送信手段は、前記変換手段が変換する前記通信網情報を前記Ｗｅｂサービス提供装置に送信することを特徴とする。
【００１２】
また、本発明は、前記通信網情報の送出元が、前記通信ネットワーク内に備えられ前記通信網情報を記憶する記憶装置、あるいは前記通信ネットワークに接続され内部に通信網情報を記憶する端末装置であることを特徴とする。
【００１３】
また、本発明は、第１の利用要求信号と、第２の利用要求信号と、第３の前記利用要求信号とが、前記通信網情報を記憶する記憶装置への情報読み出し、又は情報書き込み、又は情報書き換え、又は情報削除要求信号であることを特徴とする。
【００１４】
また、本発明は、前記通信網情報収集提供装置が、前記Ｗｅｂサービス提供装置から受信する前記第２の利用要求信号に含まれる前記Ｗｅｂサービス提供装置が利用する通信網情報を示す情報に基づき、前記通信網情報のうち、前記Ｗｅｂサービス提供装置が利用する通信網情報を選択する選択手段をさらに備え、前記送信手段は、前記選択手段が選択する通信網情報を前記Ｗｅｂサービス提供装置に送信することを特徴とする。
【発明の効果】
【００１５】
本発明は、通信網情報収集提供装置が、所定の周期ごと、又は、利用要求開始信号を受信するごとに、第１の利用要求信号を通信ネットワークに送信することにより、第１の利用要求信号の応答として通信網情報の送出元が有するインタフェースに従う通信網情報を通信ネットワークから受信し、受信した通信網情報を記憶する第１の過程と、Ｗｅｂサービス提供装置から第２の利用要求信号を受信した場合、記憶した通信網情報を読み出し、読み出した通信網情報を所定のインタフェースに従って変換し、変換した通信網情報をＷｅｂサービス提供装置に送信する第２の過程とを有することとした。
これにより、Ｗｅｂサービス提供装置は、受信した通信網情報を読み込むために送出元ごとのインタフェースを個別に備えずともよくなるため、送出元によって異なるインタフェースをＷｅｂサービス提供装置に備えるための手間と時間とを省くという効果がある。
【００１６】
また、この発明は、第２の過程において、通信網情報収集提供装置が、Ｗｅｂサービス提供装置から第２の利用要求信号を受信した場合、第２の利用要求信号に対応する通信網情報があるか否かを判定し、第２の利用要求信号に対応する通信網情報がない場合、第２の利用要求信号に対応する第３の利用要求信号を通信ネットワークに送信することにより、第３の利用要求信号の応答として通信網情報の送出元が有するインタフェースに従う第２の利用要求信号に対応する通信網情報を通信ネットワークから受信し、受信した通信網情報を記憶し、第２の利用要求信号に対応する通信網情報を所定のインタフェースに従って変換し、変換した通信網情報をＷｅｂサービス提供装置に送信することとした。
これにより、通信網情報収集提供装置において、第２の利用要求信号に対応する通信網情報がない場合であっても、通信ネットワークに接続する装置が有する通信網情報を取得することが可能となる効果がある。
【００１７】
また、この発明は、通信網情報の送出元が、通信ネットワーク内に備えられ通信網情報を記憶する記憶装置、あるいは通信ネットワークに接続され内部に通信網情報を記憶する端末装置であることとした。
これにより、通信ネットワーク内に備えられ通信網情報を記憶する記憶装置、あるいは通信ネットワークに接続され内部に通信網情報を記憶する端末装置から通信網情報を取得してＷｅｂサービス提供装置にて利用することが可能となる効果がある。
【００１８】
また、この発明は、第１の利用要求信号と、第２の利用要求信号と、第３の利用要求信号とが、通信網情報を記憶する記憶装置への情報読み出し、又は情報書き込み、又は情報書き換え、又は情報削除要求信号であることとした。
これにより、記憶装置への情報読み出し、情報書き込み、情報書き換え、情報削除要求の利用要求について、送出元によって異なるインタフェースをＷｅｂサービス提供装置に備えるための手間と時間とを省くという効果がある。
【００１９】
また、この発明は、通信網情報収集提供装置が、Ｗｅｂサービス提供装置から受信する第２の利用要求信号に含まれるＷｅｂサービス提供装置が利用する通信網情報を示す情報に基づき、通信網情報のうち、Ｗｅｂサービス提供装置が利用する通信網情報を選択し、選択した通信網情報をＷｅｂサービス提供装置に送信することとした。
これにより、不要な情報をＷｅｂサービス提供装置に送信しないため、通信の負荷を軽減するという効果がある。
【発明を実施するための最良の形態】
【００２０】
＜基本の実施形態＞
以下、図面を参照して基本の実施形態の構成を説明する。
図１は、基本の実施形態によるＩＭＳにおける通信網情報収集提供システムの全体構成を示す図である。本実施形態において、通信網情報収集提供システムは、通信ネットワーク５０１と情報ネットワーク６０１との少なくとも２つのネットワークと、システム管理端末４０とが通信網情報収集提供装置１に接続する。
ここで、情報ネットワーク６０１とは、ＡＳを有するＷｅｂサービス提供システム６−１〜６−ｎが接続するネットワークであり、例えば、ＩＰ網を含などが適用される。
また、通信ネットワーク５０１は、顧客端末５４が接続するネットワークである。また通信ネットワーク５０１は、アクセスポイントなどのノード装置５１や、運用保守装置５２、顧客管理装置５３などが接続する。
【００２１】
また、システム管理端末４０は、通信網情報収集提供システムの保守管理装置であり、例えば、保守管理者の入力を受け付けて、各装置の動作状況のモニタリングや、装置の故障等のトラブル対応時に緊急処置命令の入力を行う機能を有する。
通信網情報収集提供装置１は、情報ネットワーク６０１を介してＷｅｂサービス提供システム６−１〜６−ｎのＡＳ６１−１〜６１−ｎに通信ネットワーク５０１の通信網情報を提供する。通信網情報収集提供装置１は、通信網情報を通信ネットワーク５０１から収集して、データベース化した情報を記憶部に記憶し、ＡＳ６１−１〜６１−ｎからの情報利用要求に応じて、記憶部を検索し、検索された通信網情報をＷｅｂインタフェースを持つ情報に変換し、ＡＳ６１−１〜６１−ｎが利用可能な状態にして送信する。
【００２２】
図２は、ノード装置５１、運用保守装置５２、顧客管理装置５３が有するデータベース（ＤＢ）に記憶される通信網情報の一例である。
ノード装置５１は、加入者情報、ネットワーク帯域情報、ＳＩＰ（Session Initiation Protocol）サーバのロケーション、すなわち位置情報、ネットワークの負荷状況を示すトラヒック情報、ＮＡＳＳによって得られる収容回線／ＩＰアドレス情報、ＨＳＳによって得られる登録データなどの通信網情報をそれぞれデータベースとして有する。
なお、ノード装置５１は、例えば、ＢＧＣＦ（Breakout Gateway Control Function）と、ＳＧＷ（Signaling Gateway）とＭＧＣＦ（Media Gateway Control Function）と、ＭＧＷ（Media Gateway）とから構成されるＰＳＴＮ（Public Switched Telephone Networks）ゲートウェイや、ユーザデータベースであるＨＳＳ、ＳＬＦ（Subscriber Location function）、ＳＩＰサーバであるＣＳＣＦ、音声映像情報の変換・加工装置であるＭＲＦＰ（Multimedia Resource Function Processor）とＭＲＦＰの制御装置であるＭＲＦＣ（Multimedia Resource Function Controller）とから構成される音声映像加工装置ＭＲＦ（Multimedia Resource Function）などが適用される。
【００２３】
図１に戻り、運用保守装置５２は、通信ネットワーク５０１における設備データ、経路情報などの通信網情報をそれぞれデータベースとして有する。顧客管理装置５３は、顧客の与信情報、課金情報、個人認証情報、プレゼンス情報、顧客端末が通信しているアクセスポイントの位置情報、顧客に関する映像情報、顧客に関する背景情報となるコンテキスト情報などの通信網情報をそれぞれデータベースとして有する。
顧客端末５４は、予め例えば、ＧＰＳ（Global Positioning System）等の位置情報取得機能を有しており、この位置情報取得機能によって顧客端末５４の位置情報を取得することが可能となる。また、顧客端末５４としては、携帯電話端末など、持ち運び可能な通信端末などが適用される。
【００２４】
本実施形態において、通信網情報とは、通信ネットワーク５０１に接続するノード装置５１、運用保守装置５２、顧客管理装置５３が有するデータベースに記憶されている情報、又は、顧客端末５４が取得する位置情報である。なお、ここではデータベース化された情報を例に説明しているが、データベース化されていない情報であってもよい。また、以下、通信ネットワーク５０１に接続する各装置が記憶する通信網情報を、通信ネットワーク５０１が有する通信網情報と記載する場合がある。
【００２５】
なお、通信網情報収集提供装置１に接続する通信ネットワーク５０１及び、情報ネットワーク６０１のそれぞれは、複数存在していてもよい。また、通信網情報の提供先であるＷｅｂサービス提供システム６−１〜６−ｎやＡＳ６１−１〜６１−ｎが複数であってもよい。また、情報ネットワーク６０１がインターネットである場合も、またイントラネットであってもよい。
【００２６】
次に、図１に示す通信網情報収集提供装置１の詳細な機能を、図３の機能ブロック図を用いて説明する。ここで、図１と同様の構成については、同一の符号を付し、その説明を省略する。
通信網情報収集提供装置１において、Ｗｅｂ対応部１１は、情報ネットワーク６０１を介してＡＳ６１−１と通信する。また、Ｗｅｂ対応部１１は、受信した通信網情報の利用要求信号を、サービス管理部１２に出力する。また、Ｗｅｂ対応部１１は、検索した通信網情報をＷｅｂサービスのインタフェース、例えばＨＴＴＰのプロトコルに変換することによりＷｅｂ化する。以下、Ｗｅｂ化した通信網情報をＷｅｂ化通信網情報と記載する。
【００２７】
ＩＭＳ対応部１３は、通信ネットワーク５０１を介してノード装置５１、運用保守装置５２、顧客管理装置５３、顧客端末５４と通信する。ＩＭＳ対応部１３は、音声情報、映像情報、動画像情報などを含むマルチメディアな情報を送受信する。
サービス管理部１２は、通信ネットワーク５０１の通信網情報の利用要求信号であるクエリを、読み出す装置ごとに応じて出力する。ここで、クエリとは、通信網情報の読出要求信号、書込要求信号、書換要求信号、消去要求信号を含む通信網情報の利用要求信号である。また、サービス管理部１２は、通信網情報収集提供装置１に接続要求する装置に対し行う認証処理と、課金情報の情報処理を行う。
【００２８】
サービス管理部１２において、通信網情報取得データベース化部１２１は、ノード装置５１、運用保守装置５２、顧客管理装置５３、顧客端末５４へアクセスするためのインタフェースを備えている。そして、これらノード装置５１、運用保守装置５２、顧客管理装置５３、顧客端末５４が有するデータベースが記憶する通信網情報を収集し、収集した通信網情報をＤＢ制御部１４を介して通信網情報ＤＢ１５に書き込み、更新を行う。ここで、通信網情報取得データベース化部１２１は、通信網情報の収集処理を、所定の周期ごとに行う場合、ＡＳ６１−１又はシステム管理端末４０から通信網情報取得要求信号が入力された場合、通信ネットワーク５０１に接続する装置から通信網情報の更新が通知された場合などに処理を行う。
また、通信網情報取得データベース化部１２１は、ＤＢ制御部１４から入力される通信網情報の利用要求信号に基づき、対応するデータベースのインタフェースに応じたクエリを生成し、ＩＭＳ対応部１３を介して通信網情報利用対象の装置に出力する。
【００２９】
認証部１２２は、通信網情報収集提供装置１に接続要求する装置に対し、通信網情報収集提供装置１に接続が許可された装置であるか否かのユーザ認証を行う。ここで、認証部１２２は、予め通信網情報収集提供装置１に接続が許可された装置の識別情報と、その装置の認証パスワードとを対応付けた認証情報をメモリに記憶している。
なお、認証部１２２におけるユーザ認証は、予め通信網情報ごとのアクセス許可情報をメモリに記憶しており、通信網情報のアクセス許可情報に基づき、利用要求のある通信網情報ごとにユーザ認証を行う構成としてもよいし、いずれの認証方法であっても適用可能である。
【００３０】
課金部１２３は、通信網情報収集提供装置１に送信される通信網情報の利用要求信号に基づき通信網情報収集提供装置１が行う処理の回数を計数した利用記録を、通信網情報収集提供装置１に通信網情報の利用要求信号を送信する装置ごとにメモリに記録する課金処理を行う。なお、課金部１２３の課金処理は、通信網情報の情報量や、通信網情報収集提供装置１から送信する通信網情報のインタフェースの変換回数などをメモリに記録する処理であってもよく、いずれの課金処理方法であっても適用可能である。
【００３１】
通信網情報収集提供装置１において、ＤＢ制御部１４は、通信網情報ＤＢ１５が記憶する通信網情報の読み出し、書き込み、書き換え、消去などのデータベースの制御処理を行う。また、ＤＢ制御部１４は、通信網情報の読出要求信号に応じて通信網情報の一部を選択し、通信網情報の利用要求信号の送信元に送信する通信網情報を生成する。さらに、ＤＢ制御部１４は、読出要求信号に応じて通信網情報ＤＢ１５を検索した結果、読み出す対象の通信網情報が検索されなかった場合、通信網情報取得データベース化部１２１に読出要求信号を出力する。
【００３２】
通信網情報ＤＢ１５は、ノード装置情報ＤＢ１５１、運用保守装置情報ＤＢ１５２、顧客管理装置情報ＤＢ１５３、顧客端末情報ＤＢ１５４を備え、通信網情報取得データベース化部１２１が後述する通信網情報提供元データベース５００から収集し、データベース化した通信網情報を記憶する。
通信網情報ＤＢ１５において、ノード装置情報ＤＢ１５１、運用保守装置情報ＤＢ１５２、顧客管理装置情報ＤＢ１５３、顧客端末情報ＤＢ１５４は、それぞれ、ノード装置５１、運用保守装置５２、顧客管理装置５３、顧客端末５４が記憶する通信網情報をデータベース化した通信網情報を記憶する。
【００３３】
＜具体例の実施形態＞
次に、上述した基本の実施形態に基づく具体例として、図面を参照して具体例の実施形態を説明する。
図４は、具体例の実施形態による通信網情報収集提供システムのノード装置５１などのデータベースの構成を示したブロック図である。なお、上述の基本の実施形態における図１及び図３と同様の構成については同一の符号を付し、以下、異なる構成について説明する。
図４において、加入者情報ＤＢ５１１、位置情報ＤＢ５１２、収容回線・ＩＰアドレス情報ＤＢ５１３、ネットワーク帯域情報ＤＢ５１４、トラヒック情報ＤＢ５１５は、図２に示すようにノード装置に備えられるものである。また、設備情報ＤＢ５２１は、図２に示すように運用保守装置に備えられるものである。与信情報ＤＢ５３１、課金情報ＤＢ５３２は、図２に示すように顧客管理装置５３に備えられるものである。また、通信網情報の提供元となるノード装置５１、運用保守装置５２、顧客管理装置５３、顧客端末５４が内部に備えるデータベースを総称して通信網情報提供元データベース５００と記載する。
【００３４】
Ｗｅｂサービス提供システム６−１において、ＡＳ６１−１はアプリケーション部６２−１を備える。アプリケーション部６２−１は、通信網情報収集提供装置１から受信する通信網情報を利用してＷｅｂサービスを提供する。
通信網情報収集提供装置１は、例えばＩＰ網である通信ネットワーク５０１と接続している。また、通信網情報収集提供装置１は、情報ネットワーク６０１と接続しており、Ｗｅｂサービス提供システム６−１のＡＳ６１−１と通信する。
なお、通信網情報収集提供装置１は、通信ネットワーク５０１内のノード装置である場合もあり、通信ネットワーク５０１の外にあって通信ネットワーク５０１に接続していてもよい。
【００３５】
加入者情報ＤＢ５１１は、加入者の識別情報と対応付けて加入者情報を記憶している。ここで、加入者情報とは、例えば回線加入申し込み情報であるサービスオーダなどの情報を含むＨＳＳが有する登録データ情報である。
位置情報ＤＢ５１２は、加入者の識別情報と対応付けて位置情報を記憶している。位置情報は、例えば、登録時に登録された収容Ｓ-ＣＳＣＦ（Serving CSCF）の情報を含むＳＩＰサーバのロケーション情報である。
【００３６】
収容回線・ＩＰアドレス情報ＤＢ５１３は、加入者の識別情報と対応付けて収容回線・ＩＰアドレス情報を記憶している。ネットワーク帯域情報ＤＢ５１４は、ネットワーク帯域情報を記憶している。トラヒック情報ＤＢ５１５は、トラヒック情報を記憶している。設備情報ＤＢ５２１は、設備情報を記憶している。与信情報ＤＢ５３１は、加入者の識別情報と対応付けて与信情報を記憶している。課金情報ＤＢ５３２は、加入者の識別情報と対応付けて課金情報を記憶している。
【００３７】
次に、具体例の実施形態による通信網情報収集提供システムの動作例について図を用いて説明する。図５は具体例の実施形態の動作を示すシーケンス図である。
ここで、具体例の実施形態の動作は、通信網情報収集提供装置１が通信網情報提供元データベース５００から通信網情報を収集し、記憶する情報収集過程と、通信網情報収集提供装置１がＡＳ６１−１による通信網情報の利用要求信号に応じて処理を行う情報提供過程とからなる動作である。
また、情報提供過程の動作例として、例えば、加入者情報ＤＢ５１１に記憶される加入者情報の利用要求信号として、読出要求信号がＷｅｂサービス提供システム６−１のＡＳ６１−１から通信網情報収集提供装置１に送信され、通信網情報収集提供装置１が受信した加入者情報の読出要求信号に応じて加入者情報をＷｅｂ化してＡＳ６１−１に送信する場合を一例として説明する。
また、ＡＳ６１−１が送信する読出要求信号は、加入者情報の一部の読み出しの要求であり、通信網情報収集提供装置１は、読出要求信号に基づき、ノード装置情報ＤＢ１５１又は加入者情報ＤＢ５１１に記憶される加入者情報一部を選択して、ＡＳ６１−１に送信する。
【００３８】
＜情報収集過程＞
通信網情報取得データベース化部１２１は、上記所定の周期ごとに通信網情報提供元データベース５００の各データベースのインタフェースに対応する通信網情報の読み出しを要求する情報収集クエリを、ＩＭＳ対応部１３に出力する。ここで、情報収集クエリは、通信網情報提供元データベース５００のデータベースが記憶する通信網情報の全てを読み出す読出要求信号を、通信網情報提供元データベース５００の各データベースごとに生成し、生成した読出要求信号をまとめたクエリである。各読出要求信号は、情報収集クエリ送信元識別情報である通信網情報収集提供装置１の識別情報と、読出要求信号送信先識別情報である通信網情報提供元データベース５００の各データベースの識別情報と、読出要求信号とを含む。本実施形態において、情報収集クエリは、加入者情報ＤＢ５１１、位置情報ＤＢ５１２、収容回線・ＩＰアドレス情報ＤＢ５１３、ネットワーク帯域情報ＤＢ５１４、トラヒック情報ＤＢ５１５、設備情報ＤＢ５２１、与信情報ＤＢ５３１、課金情報ＤＢ５３２の８つのデータベースに対する読出要求信号である（ステップＳ１）。
【００３９】
ＩＭＳ対応部１３は、情報収集クエリの各読出要求信号ごとに、読出要求信号送信先識別情報に基づき、通信ネットワーク５０１を介して情報収集クエリを通信網情報提供元データベース５００に送信する（ステップＳ２）。
例えば、加入者情報ＤＢ５１１は、通信網情報収集提供装置１から情報収集クエリの読出要求信号を受信すると（ステップＳ３）、通信網情報である全加入者情報を読み出す。加入者情報ＤＢ５１１は、読み出した全加入者情報を通信網情報の取得情報として、通信ネットワーク５０１を介して情報収集クエリの送信元である通信網情報収集提供装置１に送信する（ステップＳ４）。ここで、取得情報は、読み出した全加入者情報と、情報収集クエリから得られる情報収集クエリ送信元識別情報とを含む。
【００４０】
通信網情報収集提供装置１において、ＩＭＳ対応部１３は、通信網情報提供元データベース５００の加入者情報ＤＢ５１１から取得情報を受信し、この取得情報を通信網情報取得データベース化部１２１に出力する（ステップＳ５）。
通信網情報取得データベース化部１２１は、取得情報の全加入者情報をデータベース化し、データベース化した全加入者情報ともとの取得情報の全加入者情報とを入れ替えた新たな取得情報を生成し、生成した新たな取得情報をＤＢ制御部１４に出力する（ステップＳ６）。
ＤＢ制御部１４は、入力された新たな取得情報の読出要求信号送信先識別情報である加入者情報ＤＢ５１１の識別情報に基づき、データベース化された全加入者情報をノード装置情報ＤＢ１５１に記憶されていた全加入者情報と書き換えることにより、更新する（ステップＳ７）。
【００４１】
以上のステップＳ１〜７までが情報収集過程である。ここで、通信網情報取得データベース化部１２１は、通信網情報の収集処理を、所定の周期ごとに行う場合として説明したが、ＡＳ６１−１又はシステム管理端末４０から通信網情報取得要求信号が入力された場合、通信ネットワーク５０１に接続する装置から通信網情報の更新が通知された場合などに情報収集処理を行う際も同様の動作となる。
【００４２】
＜情報提供過程＞
次に、情報提供過程の動作手順について説明する。ＡＳ６１−１は、通信網情報収集提供装置１に加入者情報の読み出しを要求する読出要求信号を通信網情報収集提供装置１に送信する（ステップＳ１１）。ここで、読出要求信号は、加入者の識別情報と、加入者情報を読み出す加入者情報ＤＢ５１１の識別情報と、読出要求信号送信元識別情報としてＡＳ６１−１の識別情報と、通信網情報収集提供装置１から通信網情報の利用要求を行う際に用いる認証パスワードとを含む。
【００４３】
通信網情報収集提供装置１において、Ｗｅｂ対応部１１は、読出要求信号を受信し、受信した読出要求信号の読出要求信号送信元識別情報と認証パスワードとをサービス管理部１２の認証部１２２に出力する。認証部１２２は、入力された読出要求信号送信元識別情報をキーとして、予めメモリに記憶する認証情報から認証パスワードを検索し、検索した認証パスワードと入力された認証パスワードとが一致するか否かによって、ＡＳ６１−１が通信網情報収集提供装置１に接続が許可された装置であるか否かを判定する。認証部１２２は、判定した判定結果をＷｅｂ対応部１１に出力する。Ｗｅｂ対応部１１は、通信網情報収集提供装置１に接続が許可された装置ではないことを示す判定結果が入力された場合、読出要求信号送信元識別信号に基づき、ＡＳ６１−１に認証結果を通知し、処理を終了する。一方、Ｗｅｂ対応部１１は、通信網情報収集提供装置１に接続が許可された装置であることを示す判定結果が入力された場合、受信した読出要求信号をＤＢ制御部１４に出力する（ステップＳ１２）。
【００４４】
ＤＢ制御部１４は、予め通信網情報提供元データベース５００が有するデータベースの識別情報と、データベースを有する装置がノード装置５１、運用保守装置５２、顧客管理装置５３、顧客端末５４のいずれかであるかを示す識別情報とを対応付けて記憶しており、入力された読出要求信号の加入者情報ＤＢ５１１の識別情報に基づき、加入者情報ＤＢ５１１に対応する通信網情報ＤＢ１５のデータベースから、読出要求信号の加入者の識別情報をキーとしてノード装置情報ＤＢ１５１を検索する（ステップＳ１３）。
ＤＢ制御部１４は、ノード装置情報ＤＢ１５１において、読出要求信号に対応する通信網情報があるか否かの判定を行う（ステップＳ１４）。
【００４５】
ＤＢ制御部１４は、判定した結果、読み出す対象の通信網情報が検索されたと判定した場合、ステップＳ１３において入力された読出要求信号に基づいて、検索した通信網情報である加入者情報からＡＳ６１−１が利用する情報のみを選択し、ＡＳ６１−１向けの応答となる変換済応答を生成する。ＤＢ制御部１４は、生成した変換済応答をＷｅｂ対応部１１に出力する（ステップＳ１５）。
【００４６】
Ｗｅｂ対応部１１は、入力された変換済応答を、読出要求信号送信元識別情報に対応するインタフェースに対応する形式に変換することにより、Ｗｅｂ化し、変換済応答の読出要求信号送信元識別情報に基づいてＡＳ６１−１にＷｅｂ化した変換済応答を送信する。また、同時に、Ｗｅｂ対応部１１は通信網情報を提供したことを示す読出要求信号送信元識別情報を含む提供通知を課金部１２３に出力し、課金部１２３は、読出要求信号送信元識別情報に対応する利用記録の回数を１加算した回数に書き換えることにより、利用記録を更新する（ステップＳ１６）。
ＡＳ６１−１は、通信網情報収集提供装置１からＷｅｂ化された変換済応答を受信する（ステップＳ１７）。
【００４７】
一方、ステップＳ１４において、読出要求信号に対応する通信網情報があるか否かの判定を行った結果、読み出す対象の通信網情報が検索されなかったと判定した場合、ＤＢ制御部１４は、通信網情報取得データベース化部１２１に読出要求信号を出力する。
通信網情報取得データベース化部１２１は、入力された読出要求信号を、加入者情報ＤＢ５１１のインタフェースに対応するＡＳ要求クエリに変換して、ＩＭＳ対応部１３に出力する。ここで、ＡＳ要求クエリは、読出要求信号送信元識別情報と、クエリ送信元識別情報である通信網情報収集提供装置１の識別情報と、クエリ送信先識別情報である加入者情報ＤＢ５１１の識別情報と、加入者の識別情報と、読出要求信号とを含む（ステップＳ１８）。
【００４８】
ＩＭＳ対応部１３は、ＡＳ要求クエリの送信先識別情報に基づき、通信ネットワーク５０１を介してＡＳ要求クエリを通信網情報提供元データベース５００の加入者情報ＤＢ５１１に送信する（ステップＳ１９）。
加入者情報ＤＢ５１１は、通信網情報収集提供装置１からＡＳ要求クエリを受信すると（ステップＳ２０）、受信したＡＳ要求クエリの加入者の識別情報をキーとして加入者情報を検索する。加入者情報ＤＢ５１１は、得られた検索結果を通信網情報の取得情報として、通信ネットワーク５０１を介してＡＳ要求クエリの送信元である通信網情報収集提供装置１に送信する（ステップＳ２１）。ここで、取得情報は、検索した加入者情報と、ＡＳ要求クエリから得られる読出要求信号送信元識別情報と、クエリ送信元識別情報と、クエリ送信先識別情報と、加入者の識別情報とを含む。
【００４９】
通信網情報収集提供装置１において、ＩＭＳ対応部１３は、通信網情報提供元データベース５００の加入者情報ＤＢ５１１から取得情報を受信し、受信した取得情報を通信網情報取得データベース化部１２１に出力する（ステップＳ８）。
通信網情報取得データベース化部１２１は、ステップＳ６と同様に、取得情報の加入者情報をデータベース化し、データベース化した加入者情報ともとの取得情報の加入者情報とを入れ替えた新たな取得情報を生成し、生成した新たな取得情報をＤＢ制御部１４に出力する（ステップＳ２３）。
【００５０】
ＤＢ制御部１４は、ステップＳ７と同様に、入力された新たな取得情報のクエリ送信先識別情報である加入者情報ＤＢ５１１の識別情報に基づき、データベース化された加入者情報をノード装置情報ＤＢ１５１に書き込むことにより、更新する。
また、ＤＢ制御部１４は、新たな取得情報の加入者情報から、ステップＳ１３において入力された読出要求信号に基づいて、ＡＳ６１−１が利用する情報のみを選択し、ＡＳ６１−１向けの応答となる変換済応答を生成する。ＤＢ制御部１４は、生成した変換済応答をＷｅｂ対応部１１に出力する（ステップＳ２４）。
【００５１】
Ｗｅｂ対応部１１は、ステップＳ１６と同様に、入力された変換済応答を、読出要求信号送信元識別情報に対応するインタフェースに対応する形式に変換することにより、Ｗｅｂ化し、変換済応答の読出要求信号送信元識別情報に基づいてＡＳ６１−１にＷｅｂ化した変換済応答を送信する。また、同時に、Ｗｅｂ対応部１１は通信網情報を提供したことを示す読出要求信号送信元識別情報を含む提供通知を課金部１２３に出力し、課金部１２３は、読出要求信号送信元識別情報に対応する利用記録の回数を１加算した回数に書き換えることにより、利用記録を更新する（ステップＳ２５）。
ＡＳ６１−１は、通信網情報収集提供装置１からＷｅｂ化された変換済応答を受信する（ステップＳ２６）。
【００５２】
以上の情報収集過程及び情報提供過程の説明は、加入者情報ＤＢ５１１の加入者情報を例にして説明したが、位置情報、収容回線・ＩＰアドレス情報、ネットワーク帯域情報、トラヒック情報、設備情報、与信情報、課金情報についても同様にして読み出し可能である。
また、上述の具体例の実施形態において説明した通信ネットワーク５０１に接続するデータベースは、図２に示すように、経路情報、個人認証情報、プレゼンス情報、ＧＰＳ機能等による位置情報、顧客に関するコンテキスト情報、顧客に関する映像情報であっても適用可能である。
【００５３】
なお、上述した具体例の実施形態においては、データベース化された通信網情報を例に説明したが、データベース化されていない通信網情報の場合、通信網情報の読み出し要求であるクエリに応じて通信網情報を利用可能とするプログラムを、予め、データベース化されていない通信網情報を記憶する装置が有する構成とすればよい。例えば、図１に示す携帯型顧客端末５４の場合、顧客端末５４が受信する情報収集クエリ又は、ＡＳ要求クエリに基づいてＧＰＳ位置情報データを読み出しするプログラムが予めインストールされている構成とする。
この構成によれば、例えば、携帯型の顧客端末のように、小型軽量性を要求されるため、位置情報を自端末内にデータベース化せずに、単にデータとして保持する場合であっても、ＡＳ６１−１は位置情報を取得することが可能となる効果がある。
【００５４】
上述した実施形態の構成によれば、通信網情報に関する接続インタフェースを、通信網情報収集提供装置１が一括して保持し、各ＡＳ６１−１〜６１−ｎは通信網情報収集提供装置１とのインタフェースを持つ。通信網情報収集提供装置１は、通信網情報を保持するデータベースへの接続インタフェースと、ＡＳ６１−１〜６１−ｎヘのインタフェースとを備え、インタフェースの違いを吸収し、通信網情報をＡＳ６１−１〜６１−ｎに配備されているアプリケーション部６２−１〜６２−ｎヘ提供する。
これにより、通信ネットワーク内の通信網情報を利用するＷｅｂサービス提供システム６−１〜６−ｎが複数ある場合においても、アプリケーション部６２−１〜６２−ｎが配備されているＡＳ６１−１〜６１−ｎに、必要なインタフェースは通信網情報収集提供装置１へのインタフェース１つで済み、ＡＳ６１−１〜６１−ｎが利用を希望する全ての通信網情報が入手可能となる効果がある。
【００５５】
なお、上述した実施の形態において、Ｓｈのインタフェースや、Ｄｉａｍｅｔｅｒなどプロトコルは、その一例として、標準化団体である３ＧＰＰの規格文書３ＧＰＰ・ＴＳ・２３．２２８Ｖ７．４．０（２００６−０６）及び規格文書３ＧＰＰ・ＴＳ・２３．３２９Ｖ７．２．０（２００６−０６）とに詳細が記載されているインタフェースやプロトコルである。
【００５６】
なお、上述の通信網情報収集提供装置１、ＡＳ６１−１〜６１−ｎ、ノード装置５１、運用保守装置５２、顧客管理装置５３、顧客端末５４は、内部にコンピュータシステムを有している。そして、通信網情報収集提供装置１のＷｅｂ対応部１１、サービス管理部１２、ＩＭＳ対応部１３、並びに、ノード装置５１、運用保守装置５２、顧客管理装置５３、顧客端末５４の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＣＰＵ及び各種メモリやＯＳ、周辺機器等のハードウェアを含むものである。
【００５７】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信回線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムに既に記録されているプログラムとの組み合わせで実現できるものであっても良い。
【産業上の利用可能性】
【００５８】
上述した実施形態の構成によれば、通信ネットワークのもつ通信網情報を情報ネットワークサービスサーバに提供できるため、通信ネットワーク産業及び情報ネットワークのいずれの産業にも役にたち、ユビキタスな情報通信産業にも利用できる。
【図面の簡単な説明】
【００５９】
【図１】本発明の基本の実施形態による通信網情報収集提供システムの全体構成を示す概念図である。
【図２】同実施形態による通信網情報の一例を示す表である。
【図３】本発明の具体例の実施形態による通信網情報収集提供装置１の内部構成を示すブロック図である。
【図４】同実施形態による通信網情報収集提供システムの全体構成を示すブロック図である。
【図５】同実施形態による通信網情報収集提供システムの動作フローである。
【図６】従来のＩＭＳにおける各種装置の接続状態を示す概念図である。
【符号の説明】
【００６０】
１  通信網情報収集提供装置、１１  Ｗｅｂ対応部、１２  サービス管理部、１３  ＩＭＳ対応部、１４  ＤＢ制御部、５１  ノード装置、５２  運用保守装置、５３  顧客管理装置、５４  顧客端末、１２１  通信網情報取得データベース化部、１２２  認証部、１２３  課金部、１５  通信網情報ＤＢ、１５１  ノード装置情報ＤＢ、１５２  運用保守装置情報ＤＢ、１５３  顧客管理装置情報ＤＢ、１５４  顧客端末情報ＤＢ、４０  システム管理端末、５００  通信網情報提供元データベース、５０１  通信ネットワーク、５１１  加入者情報ＤＢ、５１２  位置情報ＤＢ、５１３  収容回線・ＩＰアドレス情報ＤＢ、５１４  ネットワーク帯域情報ＤＢ、５１５  トラヒック情報ＤＢ、５２１  設備情報ＤＢ、５３１  与信情報ＤＢ、５３２  課金情報ＤＢ、６０１  情報ネットワーク、６−１〜６−ｎ  Ｗｅｂサービス提供システム、６１−１〜６１−ｎ  ＡＳ、６２−１〜６２−ｎ  アプリケーション部
【図１】
2008118255.tif 000003
【図２】
2008118255.tif 000004
【図３】
2008118255.tif 000005
【図４】
2008118255.tif 000006
【図５】
2008118255.tif 000007
【図６】
2008118255.tif 000008